(57)【特許請求の範囲】
【請求項１】
複数のアンテナを備えたベースステーションを校正する方法において、
ベースステーションの第１の校正からシステムモジュールにおいて決定される第１の修正情報をシステムモジュールから高周波モジュールが受信する段階と、
ベースステーションの少なくとも１つのアンテナから受信される信号を高周波モジュールで受信する段階と、
前記受信した信号及び第１の修正情報に基づいて第２の修正情報を高周波モジュールが決定する段階と、
を備え、システムモジュールと高周波モジュールは、システムモジュール及び高周波モジュールにおける校正中に、Ｉｒインターフェイスを経て通信を行う方法。
【請求項２】
前記方法は、
前記システムモジュールからトレーニングシーケンスを高周波モジュールが受信する段階と、
そのトレーニングシーケンスを前記ベースステーションの少なくとも１つのアンテナに高周波モジュールが送信する段階と、
を備えた請求項１に記載の方法。
【請求項３】
第１の修正情報を受信する前記段階は、信号歪を修正するための修正情報、又は該修正情報に基づいて変更されたトレーニングシーケンスを受信することを含む、請求項１又は２に記載の方法。
【請求項４】
前記第１の修正情報は、固定エラーを修正するためのエラーベクトルであり、前記第２の修正情報は、可変エラーを修正するためのエラーベクトルである、請求項１から３のいずれかに記載の方法。
【請求項５】
前記第１の修正情報は、前記ベースステーションの始動中に決定され、前記第２の修正情報は、前記ベースステーションの始動後に決定される、請求項１から４のいずれかに記載の方法。
【請求項６】
前記少なくとも１つのアンテナから受信した信号は、信号歪を含むトレーニングシーケンスである、請求項１から５のいずれかに記載の方法。
【請求項７】
前記方法は、前記受信信号の特性をトレーニングシーケンスに応答して測定する段階を含み、そして
第２の修正情報を決定する前記段階は、前記測定に基づいて信号のエラー歪を推定することを含む、請求項１から６のいずれかに記載の方法。
【請求項８】
前記トレーニングシーケンスは、始動トレーニングシーケンス及び／又はランタイムトレーニングシーケンスである、請求項１から７のいずれかに記載の方法。
【請求項９】
前記方法は、
前記受信信号の特性を前記始動トレーニングシーケンスに応答して測定する段階と、
前記信号のエラー歪を、前記測定に基づいて、前記システムモジュール及び／又は高周波モジュールにおいて推定する段階と、
を備えた請求項８に記載の方法。
【請求項１０】
前記方法は、前記推定されたエラー歪に基づいて第１の修正情報を決定する段階を備えた、請求項９に記載の方法。
【請求項１１】
前記方法は、ベースステーションから送信され／受信される信号であって、前記複数のアンテナのうちの少なくとも１つのアンテナの特性により歪まされた信号を、前記第２の修正情報及び／又は前記第１の修正情報に基づいて補償する段階を備えた、請求項１から１０のいずれかに記載の方法。
【請求項１２】
前記第２の修正情報及び／又は第１の修正情報に基づいて信号を補償する段階は、高周波モジュール及び／又はシステムモジュールにおいて実行される、請求項１１に記載の方法。
【請求項１３】
前記方法は、少なくとも１つのアンテナから信号を受信しそして第２の修正情報を決定することを繰り返す段階を備えた、請求項１から１２のいずれかに記載の方法。
【請求項１４】
前記方法は、第１の数のサブ帯域に対する第１の修正情報を受信し、そして第２の数のサブ帯域に対する第２の修正情報を決定する段階を備え、前記第１の数のサブ帯域は、前記第２の数のサブ帯域より多い、請求項１から１３のいずれかに記載の方法。
【請求項１５】
前記第１の数のサブ帯域のうちの少なくとも１つのサブ帯域の帯域巾は、前記第２の数のサブ帯域のうちの少なくとも１つのサブ帯域の帯域巾より小さい、請求項１４に記載の方法。
【請求項１６】
前記決定する段階は、信号の振幅エラー、位相エラー又はレイテンシエラーの１つ以上を決定することを含む、請求項１から１５のいずれかに記載の方法。
【請求項１７】
データ処理装置でプログラムが実行されるときに請求項１から１６のいずれかに記載の段階を遂行するプログラムコード手段を含むコンピュータプログラム。
【請求項１８】
プロセッサと、
コンピュータプログラムコードを含むメモリと、
を備え、前記メモリ及びコンピュータプログラムコードは、プロセッサと共に、装置が、少なくとも次の動作、即ち
ベースステーションの第１の校正からシステムモジュールにおいて決定される第１の修正情報をシステムモジュールから高周波モジュールが受信し；
ベースステーションの少なくとも１つのアンテナから受信される信号を高周波モジュールで受信し；そして
前記受信した信号及び第１の修正情報に基づいて第２の修正情報を高周波モジュールが決定する；
ことを遂行するようにさせるよう構成されており、システムモジュールと高周波モジュールは、システムモジュール及び高周波モジュールにおける校正中に、Ｉｒインターフェイスを経て通信を行う装置。
【請求項１９】
前記装置は、前記システムモジュールからトレーニングシーケンスを高周波モジュールが受信し、そしてそのトレーニングシーケンスを前記ベースステーションの少なくとも１つのアンテナに高周波モジュールが送信するように構成された、請求項１８に記載の装置。
【請求項２０】
前記第１の修正情報を受信することは、信号歪を修正するための修正情報、又は該修正情報に基づいて変更されたトレーニングシーケンスを受信することを含む、請求項１８又は１９に記載の装置。
【請求項２１】
前記第１の修正情報は、固定エラーを修正するためのエラーベクトルであり、前記第２の修正情報は、可変エラーを修正するためのエラーベクトルである、請求項１８から２０のいずれかに記載の装置。
【請求項２２】
前記第１の修正情報は、前記ベースステーションの始動中に決定され、前記第２の修正情報は、前記ベースステーションの始動後に決定される、請求項１８から２１のいずれかに記載の装置。
【請求項２３】
前記少なくとも１つのアンテナから受信した信号は、信号歪を含むトレーニングシーケンスである、請求項１８から２２のいずれかに記載の装置。
【請求項２４】
前記装置は、前記受信信号の特性をトレーニングシーケンスに応答して測定するように構成された、請求項１８から２３のいずれかに記載の装置。
【請求項２５】
前記装置は、第２の修正情報を決定するように構成され、これは、前記測定に基づいて信号のエラー歪を推定することを含む、請求項２４に記載の装置。
【請求項２６】
前記トレーニングシーケンスは、始動トレーニングシーケンス及び／又はランタイムトレーニングシーケンスである、請求項１８から２５のいずれかに記載の装置。
【請求項２７】
前記システムモジュールは、基本帯域ユニット又はファクトリテストユニットであり、前記高周波モジュールは、リモート無線ユニットである請求項１乃至１７のいずれかに記載の方法。
【請求項２８】
前記システムモジュールは、基本帯域ユニット又はファクトリテストユニットであり、前記高周波モジュールは、リモート無線ユニットである請求項１８乃至２６のいずれかに記載の装置。
【発明の詳細な説明】
【技術分野】
【０００１】
本発明は、複数のアンテナを備えたベースステーションの校正に関する。
【背景技術】
【０００２】
通信システムは、通信経路に含まれる種々のエンティティ間にキャリアを与えることにより、ユーザターミナル、ベースステーション及び／又は他のノードのような２つ以上のエンティティ間で通信セッションを行うことのできるファシリティとして知られている。通信システムは、例えば、通信ネットワーク、及び１つ以上の適合する通信装置によって提供される。通信は、例えば、音声、電子メール（ｅ−メール）、テキストメッセージ、マルチメディア及び／又はコンテンツデータ、等の通信を搬送するためのデータの通信を含む。提供されるサービスは、これに限定されないが、両方向又は多方向コール、データ通信又はマルチデータサービス、並びにインターネットのようなデータネットワークシステムへのアクセスを含む。
【０００３】
ワイヤレス通信システムでは、少なくとも２つのステーション間の通信の少なくとも一部分がワイヤレスリンクを経て行われる。ワイヤレスシステムは、例えば、公衆地上移動ネットワーク（ＰＬＭＮ）、衛星ベースの通信システム、及び異なるワイヤレスローカルネットワーク、例えば、ワイヤレスローカルエリアネットワーク（ＷＬＡＮ）を含む。ワイヤレスシステムは、典型的に、２つのセルに分割され、それ故、しばしばセルラーシステムと称される。
【０００４】
ユーザは、適当な通信装置又はターミナルによって通信システムにアクセスすることができる。ユーザの通信装置は、しばしばユーザ装置（ＵＥ）と称される。通信装置には、通信を行えるようにし、例えば、通信ネットワークへのアクセス又は他のユーザとの直接的な通信を行えるようにするために適当な信号受信及び送信装置が設けられる。通信装置は、ステーション、例えば、セルのベースステーションにより与えられるキャリアにアクセスし、そしてそのキャリアにおいて通信を送信及び／又は受信することができる。
【０００５】
通信システム及びその関連装置は、典型的に、システムに関連した種々のエンティティが何を行うことが許されそしてそれをどのように行うべきか規定する所与の規格又は仕様に基づいて動作する。接続に使用すべき通信プロトコル及び／又はパラメータも、典型的に、定義される。容量需要の増加に関連した問題を解決するための試みは、例えば、ユニバーサルモバイルテレコミュニケーションズシステム（ＵＭＴＳ）無線アクセス技術の長期進化（ＬＴＥ）として知られたアーキテクチャーである。ＬＴＥは、第三世代パートナーシッププロジェクト（３ＧＰＰ）によって規格化されている。３ＧＰＰ  ＬＴＥ仕様の種々の開発段階は、リリースと称されている。この規格化の目的は、とりわけ、レイテンシが低く、ユーザデータレートが高く、システム容量及びカバレージが改善され、そしてオペレータのコストが減少された通信システムを達成することである。
【０００６】
ＬＴＥシステムの特徴は、複数のアンテナを使用してビーム成形を実行することである。ビーム成形は、マルチインマルチアウト（ＭＩＭＯ）システムにおいて特定の信号を他の信号から分離するのに使用される信号処理技術である。ビーム成形を行うシステムは、異なるアンテナからの信号を重み付けし及び加算して、受信又は送信信号のクオリティを最適なものにする。例えば、ビーム成形は、干渉除去、多経路フェージングの軽減、及び特定方向におけるアンテナ利得の増加を達成することができる。
【０００７】
複数のアンテナを使用してビーム成形を行うときには、アンテナの特性を正確に決定することが要求される。例えば、ビーム成形を満足に実行するためには、位相、振幅、遅延のような特性を正確に決定しなければならない。
【０００８】
典型的に、複数のアンテナの振幅、位相及び遅延のような特性は、ベースステーションの校正中に決定される。ベースステーションの校正から決定される特性を使用して、ビーム成形重みの適切なセットを計算し、これを使用して、ベースステーションへ送信され又はベースステーションから受信される信号を補償する。
【０００９】
通信ネットワークの容量増加の需要は、ＬＴＥブロードバンドシステムの容量を増加するための解決策が要望されることを意味する。あるＬＴＥブロードバンドシステムでは、チャンネルが、典型的に、２０ＭＨｚの帯域巾を有する。このような広い帯域巾は、ビーム成形を最適化する前に複数のアンテナの特性を更に正確に決定することを要求する。ベースステーションのある高周波成分は、校正をより困難にする周波数選択的特性を有することに注意されたい。
【発明の概要】
【発明が解決しようとする課題】
【００１０】
１つの既知の校正方法は、ベースステーションのランタイム中にベースステーションの基本帯域ユニット（ＢＢＵ）及びリモート無線ユニット（ＲＲＵ）を一緒に使用することを要求する。ＢＢＵは、例えば、校正中に、Ｉｒインターフェイスを経てＲＲＵと通信する。しかしながら、Ｉｒインターフェイスは、ＢＢＵ及びＲＲＵで校正を行う前に製造者の仕様が異なるために適応を必要とするが、この適応は、複雑で且つ時間がかかる。
【００１１】
もう１つの既知の校正方法は、ベースステーションのランタイム中にＲＲＵのみを使用して校正を実行することを要求する。この校正方法は、ＲＲＵにおいて著しい計算を行う必要があり、これは、ＲＲＵのハードウェア要件が著しく高くなるのでコストがかかる。
【００１２】
上述した問題は、特定の通信環境に限定されず、位相、振幅及び遅延について厳密な正確さが要求されるいかなる適当な通信システムにも生じることに注意されたい。
【００１３】
従って、本発明の実施形態は、上述した問題の１つ又は幾つかを対処することに向けられる。
【課題を解決するための手段】
【００１４】
一実施形態によれば、複数のアンテナを備えたベースステーションを校正する方法において、
ベースステーションの第１の校正から決定される第１の修正情報をシステムモジュールから受信する段階と、
ベースステーションの少なくとも１つのアンテナから受信される信号を高周波モジュールで受信する段階と、
前記受信した信号及び第１の修正情報に基づいて第２の修正情報を決定する段階と、
を備えた方法が提供される。
【００１５】
好ましくは、この方法は、システムモジュールからトレーニングシーケンスを受信する段階と、そのトレーニングシーケンスをベースステーションの少なくとも１つのアンテナに送信する段階と、を備えている。
【００１６】
更に詳細な実施形態によれば、第１の修正情報を受信する段階は、信号歪を修正するための修正情報、又は修正情報に基づいて変更されたトレーニングシーケンスを受信することを含む。
【００１７】
好ましくは、修正情報は、エラーベクトルを含む。第１の修正情報は、固定エラーを修正するためのものであり、そして第２の修正情報は、可変エラーを修正するためのものである。第１の修正情報は、ベースステーションの始動中に決定され、そして第２の修正情報は、ベースステーションの始動後に決定される。
【００１８】
好ましくは、少なくとも１つのアンテナから受信した信号は、信号歪を含むトレーニングシーケンスである。
【００１９】
更に詳細な実施形態によれば、受信信号の特性は、トレーニングシーケンスに応答して測定される。好ましくは、第２の修正情報を決定する段階は、前記測定に基づいて信号のエラー歪を推定することを含む。
【００２０】
好ましくは、トレーニングシーケンスは、始動トレーニングシーケンス及び／又はランタイムトレーニングシーケンスである。好ましくは、受信信号の特性は、始動トレーニングシーケンスに応答して測定される。
【００２１】
好ましくは、信号のエラー歪は、前記測定に基づいて推定される。好ましくは、特性の測定及び／又はエラー歪の推定は、システムモジュール又は高周波モジュールにおいて行われる。
【００２２】
好ましくは、第１の修正情報の決定は、前記推定されたエラー歪に基づく。
【００２３】
好ましくは、第１及び第２の修正情報は、送信を歪ませる複数のアンテナのうちの少なくとも１つのアンテナの特性を補償するためのものである。
【００２４】
好ましくは、この方法は、ベースステーションから送信され／受信される信号を第２の修正情報及び／又は第１の修正情報に基づいて補償する段階を備えている。
【００２５】
好ましくは、第２の修正情報に基づいて信号を補償する段階は、高周波モジュールにおいて実行される。
【００２６】
好ましくは、第１の修正情報に基づいて信号を補償する段階は、高周波モジュール又はシステムモジュールにおいて実行される。
【００２７】
好ましくは、この方法は、少なくとも１つのアンテナから信号を受信しそして第２の修正情報を決定することを繰り返す段階を備えている。好ましくは、前記繰り返しは、構成可能な時間又はタイムスロットにわたって行われる。
【００２８】
好ましくは、この方法は、第１の数のサブ帯域について第１の修正情報を受信し、そして第２の数のサブ帯域について第２の修正情報を決定する段階を備えている。好ましくは、第１の数のサブ帯域は、第２の数のサブ帯域より多い。好ましくは、第１の数のサブ帯域のうちの少なくとも１つのサブ帯域の帯域巾は、第２の数のサブ帯域のうちの少なくとも１つのサブ帯域の帯域巾より小さい。
【００２９】
好ましくは、前記決定する段階は、信号の振幅エラー、位相エラー又はレイテンシエラーの１つ以上を決定することを含む。
【００３０】
好ましくは、ランタイムトレーニングシーケンス及び／又は始動トレーニングシーケンスは、複数のサブ帯域において順次に又はパラレルに送信される。
【００３１】
好ましくは、システムモジュールは、基本帯域ユニット及びファクトリテストユニットの１つである。好ましくは、高周波モジュールは、リモート無線ユニットである。好ましくは、ベースステーションは、ｅＮｏｄｅ  Ｂである。
【００３２】
好ましくは、受信信号及び第１の修正情報に基づき第２の修正情報を決定することは、第２の校正である。より好ましくは、第１の校正は、一度行われる。第１の校正は、ベースステーションの始動時に行われる。好ましくは、第２の校正は、複数回繰り返される。第２の校正は、ベースステーションのランタイム中に行われる。
【００３３】
好ましくは、第２の校正は、高周波モジュールのみにより行われる。好ましくは、第１の校正は、任意にシステムモジュールと共に高周波モジュールにより行われる。好ましくは、システムモジュールは、具現化要件に基づいて第１の校正を行う。
【００３４】
この方法を遂行するためのプログラムコード手段を含むコンピュータプログラムも提供される。
【００３５】
更に別の実施形態によれば、プロセッサと、コンピュータプログラムコードを含むメモリとを備え、メモリ及びコンピュータプログラムコードは、プロセッサと共に、装置が、少なくとも次の動作、即ちベースステーションの第１の校正から決定される第１の修正情報をシステムモジュールから受信し；ベースステーションの少なくとも１つのアンテナから受信される信号を高周波モジュールで受信し；そして前記受信した信号及び第１の修正情報に基づいて第２の修正情報を決定する；ことを遂行するようにさせるよう構成された装置が提供される。この装置は、コントロール装置である。
【００３６】
別の実施形態によれば、ベースステーションの第１の校正から決定される第１の修正情報をシステムモジュールから受信するための受信手段と、
ベースステーションの少なくとも１つのアンテナから受信される信号を高周波モジュールで受信するための受信手段と、
前記受信した信号及び第１の修正情報に基づいて第２の修正情報を決定するための決定手段と、
を備えた装置が提供される。
【００３７】
以下の詳細な説明及び特許請求の範囲には種々の他の態様及び更に別の実施形態も説明されている。
【００３８】
以下、添付図面を参照し、本発明を一例として詳細に説明する。
【図面の簡単な説明】
【００３９】
【図１】本発明の実施形態が具現化される通信システムの一例を示す。
【図２】ベースステーションの一例を示す。
【図３】ある実施形態によるベースステーションの異なる要素間のシグナリング図である。
【図４】ある実施形態による始動校正の方法を示すフローチャートである。
【図５】ある実施形態によるランタイム校正の方法を示すフローチャートである。
【図６】ベースステーションの１つ以上のコンポーネントによる信号ロス対周波数のグラフを示す。
【図７】ある実施形態によるランタイム校正のフローチャートである。
【図８】他の実施形態による始動校正のフローチャートである。
【発明を実施するための形態】
【００４０】
以下、移動通信装置にサービスするワイヤレス又は移動通信システムを参照して幾つかの規範的な実施形態を説明する。幾つかの規範的な実施形態を詳細に説明する前に、ここに述べる例の基礎となる技術を理解する上で助けとなるように、図１を参照して、ワイヤレス通信システム及び移動通信システムのある一般的な原理を簡単に説明する。
【００４１】
通信システムを経て提供される種々のサービス及び／又はアプリケーションにアクセスするために通信装置を使用することができる。ワイヤレス又は移動通信システムでは、移動通信装置１１と適当なアクセスシステム１０との間のワイヤレスアクセスインターフェイスを経てアクセスがなされる。移動装置１１は、典型的に、少なくとも１つのベースステーション１２、又はアクセスシステムの同様のワイヤレス送信器及び／又は受信器ノードを経て、通信システムにワイヤレスアクセスすることができる。ベースステーションサイトは、典型的に、セルラーシステムの１つ以上のセルを形成する。図１の例では、ベースステーション１２は、セルをなすように構成されるが、例えば、各々セルをなす３つのセクタを形成することができる。各移動装置１１及びベースステーション１２は、同時にオープンである１つ以上の無線チャンネルを有し、そして２つ以上のソースから信号を受信する。
【００４２】
ベースステーション１２は、典型的に、その動作、及びベースステーションと通信する移動通信装置の管理を行えるように、少なくとも１つの適当なコントローラによりコントロールされる。コントロールエンティティは、他のコントロールエンティティと相互接続される。図１において、コントローラは、ブロック１３により形成されるように示されている。従って、コントローラは、典型的に、メモリ容量及び少なくとも１つのデータプロセッサが設けられる。コントロール機能は、複数のコントローラユニット間に分散されることを理解されたい。ベースステーション１２のためのコントローラ装置は、適当なソフトウェアコードを実行して、以下に詳細に述べるコントロール機能を発揮するように構成される。
【００４３】
図１の例では、ベースステーションノード１２は、適当なゲートウェイ１５を経てデータネットワーク１６に接続される。アクセスシステムと、パケットデータネットワークのような別のネットワークとの間のゲートウェイ機能は、適当なゲートウェイノード、例えば、パケットデータゲートウェイ及び／又はアクセスゲートウェイ１７によって発揮される。従って、１つ以上の相互接続ネットワーク及びその要素によって通信システムが形成され、そして種々のネットワークを相互接続するための１つ以上のゲートウェイノードが設けられる。
【００４４】
種々のサービス及び／又はアプリケーションにアクセスするために通信装置を使用することができる。通信装置は、種々のアクセス技術、例えば、コード分割多重アクセス（ＣＤＭＡ）又はワイドバンドＣＤＭＡ（ＷＣＤＭＡ）に基づいて通信システムにアクセスすることができる。後者の技術は、第三世代パードナーシッププロジェクト（３ＧＰＰ）に基づいて通信システムにより使用される。他の例としては、時分割多重アクセス（ＴＤＭＡ）、周波数分割多重アクセス（ＦＤＭＡ）、スペース分割多重アクセス（ＳＤＭＡ）、等が含まれる。ここに述べる原理が適用される移動アーキテクチャーの非限定例は、進化型ユニバーサル地上無線アクセスネットワーク（Ｅ−ＵＴＲＡＮ）として知られている。
【００４５】
適当なアクセスノードの非限定例は、例えば、３ＧＰＰ仕様の語彙においてＮｏｄｅＢ又はエンハンストＮｏｄｅＢ（ｅＮＢ）として知られたセルラーシステムのベースステーションである。ｅＮＢは、移動通信装置に向かってユーザプレーン無線リンクコントロール／メディアアクセスコントロール／物理的レイヤプロトコル（ＲＬＣ／ＭＡＣ／ＰＨＹ）及びコントロールプレーン無線リソースコントロール（ＲＲＣ）プロトコル終了のようなＥ−ＵＴＲＡＮ特徴を与える。他の例としては、ワイヤレスローカルエリアネットワーク（ＷＬＡＮ）及び／又はＷｉＭａｘ（マイクロ波アクセスのための世界的相互運用性）のようなテクノロジーに基づくシステムのベースステーションが含まれる。
【００４６】
適当な移動通信装置は、無線信号を送信及び受信することのできる任意の装置によって形成される。その非限定例は、移動電話又は「スマートホン」として知られているもののような移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、又はそれらの組み合わせ、等を含む。データネットワークを経て提供されるサービスアプリケーションにアクセスするために音声及びビデオコールに対して移動通信装置が使用される。
【００４７】
図２を参照して、ベースステーション１２について更に詳細に説明する。図２は、ある実施形態によるベースステーション１２を示す。ベースステーション１２は、システムモジュール２０を備えている。システムモジュール２０は、コアネットワークとの通信のようなシステム動作を遂行する基本帯域ユニット（ＢＢＵ）である。又、システムモジュール２０は、Ｉｒインターフェイスを経て高周波モジュール２１と通信する。高周波モジュールは、リモート無線ユニット（ＲＲＵ）である。高周波モジュール２１は、基本帯域信号を、ワイヤレスネットワークを経て送信するのに適したフォーマットに変換する。高周波モジュールは、ワイヤレス送信のための信号をアンテナシステム２２へ送信する。アンテナシステム２２は、複数のアンテナ２３を備えている。ある実施形態では、高周波モジュールがシステムモジュールとは個別であるが、高周波モジュール及びシステムモジュールが同じネットワークエンティティに含まれてもよい。他の実施形態では、アンテナシステム２２及び高周波モジュール２１が同じネットワークエンティティに含まれる。ワイヤレス送信を行うビームを形成するために複数のアンテナが一緒に使用されてもよい。
【００４８】
ある高周波ハードウェアサブコンポーネントは、位相及び振幅の両方が周波数選択性である特性を示す。周波数選択性の特性は、ベースステーションにより受信又は送信される信号を歪めるエラーを招く。
【００４９】
図６は、１つ以上の高周波ハードウェアサブコンポーネントによる信号ロス対周波数の規範的グラフである。特に、図６は、ベースステーションに周波数選択性バリアンスを生じさせる高周波フィルタサブコンポーネントを示す。サブコンポーネントは、周波数選択性バリアンスを生じさせる他の電子ハードウェアでもよい。陰影付けされた領域６０は、サブコンポーネント、この場合には、フィルタが動作するところの周波数帯域である。ある場合には、フィルタは、５ＭＨｚにわたり１．５５（±０．７７）ｄＢまでの、１０ＭＨｚにわたり１．８（±０．９）ｄＢまでの、そして２０ＭＨｚにわたり２（±１）ｄＢまでの挿入ロスリップルを振幅点に生じさせる。又、フィルタは、これもベースステーションの動作にとって重要な位相リップルを生じさせる。フィルタによる大きな振幅及び位相エラーは、予期せぬ放射パターンを生じさせ、これは、ベースステーションが、ある電力レベルで特定の方向に特定のビームを形成できないことを意味する。このようにして、ベースステーションのハードウェアサブコンポーネントの少なくとも周波数選択性特性のためにビーム成形が妨げられる。
【００５０】
図６は、特定の物理的フィルタに対する規範的な周波数選択性変化を例示し且つ示すものである。この選択性特性は、コンポーネント及び他のファクタに基づいて変化する。
【００５１】
図６は、フィルタのような特定のハードウェアコンポーネントに対する周波数選択性特性を示す。フィルタにより生じる挿入ロスリップルは、受信／送信信号にエラーを生じさせると考えられ、エラーは、静的な第１部分及び可変の第２部分を含む。エラーの静的な第１部分は、フィルタのようなハードウェアコンポーネントが作られアッセンブルされると、典型的に静的である。例えば、図６を参照すれば、２．８ｄＢ、１．２５ｄＢ及び０．８ｄＢのような値は、ハードウェアコンポーネントの静的な周波数選択性特性である。
【００５２】
エラーの第２部分は、時間と共に変化する。例えば、エラーは、温度変動のような環境ファクタにより変化する。湿度、気圧、及び他の天気現象のような他のファクタも、可変周波数選択性特性に影響する。図６は、周波数サブ帯域の３つの個別の部分におけるエラー変化６１を示す。そのバリアンスは、例えば、周波数サブ帯域の下端で±０．２ｄＢ、周波数サブ帯域の中間部で±０．１ｄＢ、そして周波数サブ帯域の上部で＋０．６ないし−０．４ｄＢ変化する。
【００５３】
ベースステーションの始動時及びベースステーションの動作中におけるベースステーションの校正は、ベースステーションのハードウェアコンポーネントによる振幅及び位相エラーを克服する。実際に、静的及び可変エラーは、以下に述べる幾つかの実施形態により補償することができる。
【００５４】
図２は、静的エラー及び可変エラーを校正するように構成された幾つかの実施形態によるベースステーションを示す。
【００５５】
周波数選択性始動時校正手順を実行するための幾つかの実施形態を、図２、３及び４を参照して以下に説明する。図３は、システムモジュール２０と、高周波モジュール２１と、アンテナシステム２２との間のシグナリング図である。図４は、幾つかの実施形態により始動時に校正する方法を示すフローチャートである。ある実施形態では、始動校正手順は、ベースステーションの始動時即ちスタートアップ時に行われる。この始動時校正手順は、図３のボックス３１０に示されている。
【００５６】
図４のステップ４０１に示すベースステーション１２の始動時に、ベースステーション１２の固定エラーがシステムモジュール２０により決定される。システムモジュール２０は、記憶手段２５から始動トレーニングシーケンスを得るプロセッサ２４を備えている。記憶手段２５は、システムモジュール２０内に含まれたメモリである。ある実施形態において、メモリは、システムモジュール２０から離れた記憶手段でもよい。
【００５７】
ステップ４０１に示すベースステーションの始動後、システムモジュールのプロセッサ２４は、図３のステップ３０１及び図４のステップ４０２に示すように、送信／受信モジュール２６を使用して高周波モジュール２１に始動トレーニングシーケンスを送信する。
【００５８】
始動トレーニングシーケンスは、狭いサブ帯域に対して構成される。ある実施形態では、始動トレーニングシーケンスは、帯域巾が１８０ＫＨｚのサブ帯域に使用される。ある実施形態では、トレーニングシーケンスは、所定のアルゴリズムに基づいてシステムモジュール２０によって発生される。
【００５９】
ステップ４０２の前に、プロセッサ２４は、始動校正手順に対してベースステーション１２を校正すべきサブ帯域の数を決定する。サブ帯域の数は、プロセッサ２４によって、性能、処理遅延及び計算の複雑さに基づいて決定される。更に、プロセッサ２４は、始動トレーニングシーケンスの長さも、性能、処理遅延及び計算の複雑さに基づき決定する。ある実施形態では、システムモジュール２０のプロセッサ２４は、始動トレーニングシーケンスによりカバーされるべきサブ帯域の数、及びトレーニングシーケンスの長さを、ソフトウェア及びハードウェアの決定された制限に基づいて決定する。このように、プロセッサ２４は、ベースステーションのソフトウェア又はハードウェアをアップグレードする必要なく、特定の始動トレーニングシーケンスを決定する。他の実施形態では、プロセッサ２４は、メモリから始動トレーニングシーケンスを得る。
【００６０】
ある実施形態のプロセッサ２４は、始動手順のタイミングの方が制約が少ないので、ランタイムトレーニングシーケンスより長い始動トレーニングシーケンスを選択する。これは、ランタイムトレーニングシーケンスより長い始動トレーニングシーケンスが使用される場合に、始動校正手順の処理遅延が受け容れられることを意味する。
【００６１】
ある実施形態では、始動トレーニングシーケンスは、所定の時間に送信／受信モジュール２６から高周波モジュール２１へ送信され、例えば、システムモジュール２０及び高周波モジュール２１は、保護期間に各々送信及び受信するように構成される。
【００６２】
高周波モジュール２１は、図４のステップ４０３に示すように、送信／受信モジュール２７において始動トレーニングシーケンスを受け取る。高周波モジュール２１は、Ｉｒインターフェイスを経てシステムモジュール２０と通信する。Ｉｒインターフェイスは、普通の公衆無線インターフェイス（ＣＰＲＩ）、オープンベースステーションアーキテクチャーイニシアティブインターフェイス（ＯＢＳＡＩ）、又はオープン無線インターフェイス（ＯＲＩ）である。送信／受信モジュール２７が始動トレーニングシーケンスを受け取るときに、高周波モジュール２１のプロセッサ２８は、始動トレーニングシーケンスをメモリ２９に記憶する。高周波モジュール２１のメモリ２９は、高周波モジュール２１に含まれてもよいし、或いは高周波モジュール２１から離れたところにあってもよい。
【００６３】
高周波モジュールは、次いで、図４のステップ４０３及び図３の３０２に示すように、トレーニングシーケンスをアンテナシステム２２へ送る。送信／受信モジュール２７は、システムモジュール２０及びアンテナシステム２２の両方に対して信号を送信及び受信するように構成される。ある実施形態では、高周波モジュールの送信／受信モジュール２７は、Ｉｒインターフェイスを経てシステムモジュールから情報を送信／受信するための第１部分と、アンテナシステムに情報を送信／受信するための第２部分とを備えている。
【００６４】
高周波モジュール２１は、各送信／受信パイプの校正レープへ始動トレーニングシーケンスを所与の電力レベルで送信する。送信／受信パイプは、信号を送信及び／又は受信する複数の高周波成分を含む高周波チェーンである。これは、始動トレーニングシーケンスが複数の高周波送信チェーン２３の少なくとも１つから送信され、そしてアンテナ校正ネットワークによりループバックされて複数の高周波受信チェーン２３の少なくとも１つにより受信されることを意味する。図２は、２つのアンテナしか示していないが、ベースステーションにはいかなる数のアンテナがあってもよい。始動トレーニングシーケンスは、ベースステーション１２において複数のアンテナの組み合わせにより送信及び受信される。このように、アンテナシステムは、別のアンテナにより送信されたトレーニングシーケンスを受け取り、そして始動トレーニングシーケンスは、ベースステーションのハードウェア及びソフトウェアの特性により歪められる。アンテナシステム２２からの受信信号は、図３のステップ３０３及び図４のステップ４０５に示すように、アンテナシステムから高周波モジュール２１へ送られる。
【００６５】
アンテナシステム２２は、異なるサブ帯域の始動トレーニングシーケンスを異なる送信／受信パイプに対してパラレルに或いは順次に送信及び受信する。或いは又、ある実施形態では、始動トレーニングシーケンスは、異なるサブ帯域及び異なるパイプの順序で送信及び受信される。
【００６６】
次いで、高周波モジュール２１は、図３のステップ３０４及び図４のステップ４０６に示すように、受信信号をシステムモジュール３０へ送信する。システムモジュール２０のプロセッサ２４は、送信／受信モジュール２６に受信された受信信号を検出モジュール３０へ送信する。検出モジュール３０は、ステップ４０７に示すように、受信信号の特性を測定し、そして受信信号の振幅、位相及び／又はレイテンシエラーを推定する。検出モジュール３０は、その推定される測定値をプロセッサ２４へ送信し、そしてプロセッサは、図４のステップ４０８に示すように、アンテナシステムのエラーベクトルをその決定された測定値に基づいて決定する。プロセッサ２４は、サブ帯域及び送信／受信パイプの構成ごとにエラーベクトルを決定する。
【００６７】
ある実施形態において、高周波モジュール２１は、受信信号を高周波モジュール２１の検出モジュール３１へ送信する。高周波モジュール２１の検出モジュール３１が受信信号の振幅、位相及び／又はレイテンシエラーを測定する場合には、高周波モジュール２１のプロセッサ２８は、決定された測定値に基づきアンテナシステムのエラーベクトルを決定する。次いで、高周波モジュール２１は、Ｉｒインターフェイスを経てシステムモジュール２０へエラーベクトルを送信する。
【００６８】
システムモジュール２０のプロセッサ２４は、エラーベクトルを補償モジュール３２へ送信し、そして補償モジュールは、修正情報を決定する。ある実施形態では、修正情報は、エラーベクトルに基づくエラー防止ベクトルである。エラー防止ベクトルは、ベースステーション１２を経て送信又は受信するために伝送に適用されると、始動校正手順で決定された変化を補償する。
【００６９】
補償モジュール３２は、図４のステップ４０９に示すように、エラー防止ベクトルを各単一ダウンリンクデータ伝送に適用して、高周波モジュールの静的な周波数選択性特性による固定エラーを補償する。プロセッサ２４は、始動後のダウンリンクデータ伝送を補償するためにエラー防止ベクトルをメモリ２５に記憶する。
【００７０】
始動校正手順のより詳細なアルゴリズムを開示した図８を参照して始動校正手順を説明する。図８は、システムモジュール２０内で実行されるアルゴリズムのブロック、及び高周波モジュール２１で実行されるブロックを示す。
【００７１】
プロセッサ２４は、物理的リソースブロックマッパー８０１を使用して物理的リソースブロックへトレーニングシーケンスをマップする。次いで、プロセッサ２４は、トレーニングシーケンスに対して逆高速フーリエ変換８０２を実行する。次いで、プロセッサ２４は、周期的プリフィックス８０３をトレーニングシーケンスに追加する。次いで、トレーニングシーケンスは、高周波モジュール２１へ送信され、そして図３及び４に示して上述したようにステップが実行される。
【００７２】
システムモジュール２０が高周波モジュール２１を経てアンテナシステム２２から受け取った歪んだトレーニングシーケンスを受信すると、プロセッサ２４は、ステップ８０４に示すように、周期的プリフィックスを除去する。次いで、プロセッサは、ステップ８０５に示すように、高速フーリエ変換を実行する。次いで、プロセッサは、ステップ８０６に示すように、デマッピングスキームを遂行し、信号を分離する。次いで、プロセッサは、ステップ８０７に示すように、各ＰＲＢにおいて位相及び振幅を平均化する。次いで、システムモジュール２０は、上述したように、エラー防止ベクトルを決定する。
【００７３】
時間と共に変化する周波数選択性特性に対してベースステーション１２を校正するためのランタイム校正手順を、図２、図３及び図５を参照して以下に説明する。図５は、ある実施形態によるランタイム校正の方法を示すフローチャートである。ランタイム校正シーケンスは、図３にボックス３２０で示されている。ランタイム校正手順は、ステップ５０１に示すように、ベースステーションが動作するとき、例えば、ベースステーションが始動した後に、遂行される。
【００７４】
高周波モジュール２１は、ランタイム校正手順間の期間を決定するタイマー３３を備えている。タイマー３３は、プロセッサ２８によって構成され、そしてベースステーション１２のランタイム中の校正手順の周期性が変更される。ベースステーション１２は、ランタイム手順中、及びベースステーションが初期化を完了した後の時間中に動作する。即ち、ランタイム校正手順は、始動校正手順後の任意の時間に実行される。別の実施形態では、タイマーがなく、プロセッサ２８は、事象に応答してランタイム校正手順をトリガーするように構成される。例えば、プロセッサは、あるタイムスロット、又はフレームの特定部分に含まれた情報に応答して、ランタイム校正手順をトリガーすることができる。
【００７５】
タイマー３３が満了となると、プロセッサ２８は、ランタイム校正手順を開始する。プロセッサ２８は、ステップ５０２に示すように、ランタイムトレーニングシーケンスを検索する。
【００７６】
システムモジュール２０は、始動校正手順で決定されたエラー防止ベクトルを使用して、ランタイム校正手順のためのランタイムトレーニングシーケンスを発生する。このように、ランタイムトレーニングシーケンスは、始動校正手順で決定された固定周波数選択性特性を既に補償している。
【００７７】
高周波モジュール２１は、図３のステップ３０５に示すように、システムモジュール２０からランタイムトレーニングシーケンスを受け取る。高周波モジュール２１は、ランタイム校正手順の前の時間にランタイムトレーニングシーケンスをメモリ２９に記憶する。一実施形態において、高周波モジュール２１は、システムモジュール２０からの始動トレーニングシーケンスと同時にランタイムトレーニングシーケンスを受け取る。他の実施形態では、高周波モジュール２１は、ステップ３０５において、メモリからランタイムシーケンスを検索する。
【００７８】
プロセッサ２８は、ランタイムトレーニングシーケンスを送信／受信モジュール２７へ送り、アンテナシステム２２へ送給する。図３のステップ３０６に示すように高周波モジュール２１からアンテナシステム２２へランタイムトレーニング信号が送られる。
【００７９】
始動校正手順と同様に、ランタイムトレーニングシーケンスは、ステップ５０３に示すように、高周波モジュールから所与の電力レベルで各パイプの校正ループ又はネットワークへ送信される。
【００８０】
ランタイムトレーニングシーケンスは、複数のアンテナ２３の第１アンテナから複数のアンテナの第２アンテナへ送信され、そして受信信号は、図５のステップ５０４及び図３のステップ３０７に示すように、アンテナシステム２２から高周波モジュール２１へ送信される。
【００８１】
アンテナシステムからの受信信号は、トレーニングシーケンスがベースステーション１２の送信及び受信チェーンを通過するので、エラー歪を伴うランタイムトレーニングシーケンスを含む。しかしながら、ランタイムトレーニングシーケンスは、固定エラーを補償しているので、受信信号は、可変エラーのみにより歪まされたランタイムシーケンスを含む。
【００８２】
トレーニングシーケンスは、ベースステーションの全動作帯域巾に対して実行される。別の実施形態では、トレーニングシーケンスは、複数のサブ帯域及び異なるパイプに対して送信及び受信される。例えば、一実施形態では、トレーニングシーケンスは、２０ＭＨｚの動作帯域巾で５ＭＨｚサブ帯域に対して使用される。ランタイムトレーニングシーケンスは、各異なるパイプ及びサブ帯域に対してパラレルに又は順次に送信される。ランタイム校正シーケンスは、始動校正シーケンスより簡単である。例えば、ランタイム校正手順は、サブ帯域をあまり必要とせず、それ故、校正手順における処理の繰り返しもあまり必要としない。このように、ランタイム校正手順に対する処理要件が低く、高周波モジュールは、ランタイム校正手順を遂行するためにアップグレードを必要としないことを意味する。
【００８３】
高周波モジュール２１の送信／受信モジュール２７は、歪んだランタイムトレーニングシーケンスをアンテナシステム２２から受信し、そして歪んだランタイムトレーニングシーケンスを検出モジュールへ通過させる。検出モジュール３１は、ステップ５０５に示すように、受信信号の特性を測定し、そして受信信号の振幅、位相又はレイテンシエラーを決定する。プロセッサ２８は、ランタイム校正手順のためのエラーベクトルを決定する。プロセッサ２８は、構成されたサブ帯域の各々及びパイプの送信又は受信の各々に対するエラーベクトルを決定する。
【００８４】
ある実施形態では、複数のサブ帯域がランタイム校正に使用され、プロセッサ２８は、複数のサブ帯域に対してエラーベクトルを平均化する。別の実施形態では、全動作帯域に対してランタイム校正手順が遂行され、平均化ステップは、必要とされない。測定に基づいてアンテナシステムのエラーベクトルを決定するステップがステップ５０６に示されている。
【００８５】
プロセッサは、エラーベクトルを補償モジュール３４へ送信して、補償モジュール３４が、ステップ５０７に示すように、可変エラーに対する修正情報又はエラー防止ベクトルを決定できるようにする。
【００８６】
補償モジュール３４は、ランタイム校正手順から決定されたエラー防止ベクトルを時間ドメインにおいてデータＩ／Ｑサンプルと共に使用して、高周波モジュール２１において時間と共ン変化する周波数選択性特性を補償する。ユーザデータＩ／Ｑサンプルは、システムモジュール２０と高周波モジュール２１との間で受信及び送信されるデータ形式及びフォーマットである。補償モジュール３４は、高周波モジュール２１においてデータが送信又は受信されるたび経時変化する周波数選択性変動の補償を実行する。
【００８７】
ある実施形態において、時間デュープレクス分割システム、例えば、長期進化時間デュープレクス分割モード（ＴＤＬＴＥ）、又はコード分割多重アクセス（ＣＤＭＡ）規格、例えば、時分割同期コード分割多重アクセス（ＴＤＳＣＤＭＡ）、ＣＤＭＡ２０００及びワイドバンドコード分割多重アクセス（ＷＣＤＭＡ）では、ステップ５０３及び５０４に示すトレーニングシーケンスの送信及び受信が、３ＧＰＰダウンリンク送信及びアップリンク受信ウインドウの外側で実行される。むしろ、ランタイムトレーニングシーケンスを送信及び受信するために保護期間が使用される。
【００８８】
ある実施形態において、高周波モジュールは、始動校正手順の間に決定された固定周波数選択性バリアンスを表わす始動エラーベクトルを受け取る。高周波モジュール２１は、システムモジュール２０が高周波モジュール２１にランタイムトレーニングシーケンスを送信するときにシステムモジュール２０から始動エラーベクトルを受信する。高周波モジュール２１は、その始動エラーベクトルをメモリ２９に記憶する。ある実施形態におけるシステムモジュール２０から受け取られるランタイムトレーニングシーケンスは、始動校正手順で決定されたエラー防止ベクトルを使用して補償されていない。これは、固定周波数選択性バリアンスを２回以上補償することを回避するために可変周波数選択性バリアンスを補償するとき補償モジュール３４が始動エラーベクトルを使用することを意味する。
【００８９】
補償モジュール３４がランタイム校正手順において決定されたエラーベクトルに基づき伝送を補償すると、タイマー３３がリセットされる。
【００９０】
ランタイム校正手順は、タイマー３３が再び満了になったときにステップ５０８に示すように繰り返される。ステップ３０６に示すアンテナシステムへのランタイムトレーニングシーケンスの送信及びステップ３０７に示す歪んだ信号の受信を繰り返すことが、図３において、タイマー３３によりトリガーされるループ３３０で示されている。このように、図５のランタイム校正手順が繰り返される。これは、可変周波数選択性特性による可変エラーが考慮されることを意味する。
【００９１】
図７を参照して、ランタイム校正手順を以下に詳細に説明する。図７は、ランタイム校正手順を詳細に示すフローチャートである。プロセッサ２８は、トレーニングシーケンスを受け取り、そしてステップ７０１に示すように、トレーニングシーケンスに周期的シフトを適用する。周期的シフトは、送信及び受信パイプの各々に対してトレーニングシーケンスが順次に適用されない場合に、トレーニングシーケンスに適用される。次いで、プロセッサ２８は、レイズドコサイン(raised cosine)有限インパルス応答をトレーニングシーケンスに適用する。次いで、プロセッサ２８は、ステップ７０３及び７０４に示すように、トレーニングシーケンスを変調し、マップする。次いで、トレーニングシーケンスがアンテナシステム２２へ送られ、そして歪んだトレーニングシーケンスがステップ７０５及び７０６に示すようにデマップ及び復調される。
【００９２】
トレーニングシーケンスは、ステップ７０７に示すように相関される。次いで、高周波モジュール２１は、ステップ７０８に示すように、位相、振幅及び遅延エラーを検出する。次いで、プロセッサ２８は、ステップ７０９に示すように、エラーベクトルを、補償モジュール３４に使用するために平均化しそして決定する。
【００９３】
ある実施形態では、始動校正手順は、ランタイム中に、必要なときに開始される。始動校正手順がランタイム中に必要な場合には、プロセッサ２４は、始動トレーニングシーケンスを保護期間中に送信するように制約される。他の実施形態では、ランタイム校正手順は、始動校正手順がランタイム中に初期化されたときにデアクチベートされる。
【００９４】
ある実施形態では、始動及びランタイムトレーニングシーケンスが固定される。これは、良好な自己相関及びクロス相関をもつトレーニングシーケンスの数が限定されているためである。ある実施形態では、システムモジュール２０のプロセッサ２４は、トレーニングシーケンステーブルオフラインを発生し、そしてトレーニングシーケンステーブルは、システムモジュール２０及び高周波モジュール２１の両方に記憶される。次いで、システムモジュール２０は、始動校正手順の間にトレーニングシーケンスの指示を送信する。トレーニングシーケンスの指示は、スカラー、ベクトル又はマトリクスのフォーマットのシーケンスインデックスである。これは、システムモジュール１０と高周波モジュール２１との間の帯域巾需要を減少する。
【００９５】
ある実施形態では、ベースステーションがｅＮｏｄｅ  Ｂである。ｅＮｏｄｅ  Ｂは、アップリンク及びダウンリンクリソース割り当て及び許可をコントロールする。このように、エアフレームのダウンリンク又はアップリンクサブフレームからの最後の１つ又は２つの記号が、ある実施形態では、ランタイム校正期間として使用される。ダウンリンク又はアップリンクサブフレームの最後の記号がトレーニングシーケンスに使用されるので、ダウンリンクのスループットを減少しないように、特殊コードレートマッチングメカニズムが使用される。一実施形態では、ターボコード後の重要度の低いビットが最後の記号へマップされてハンチ(hunch)されるか、又はトレーニングシーケンスに置き換えられる。ある実施形態では、エアフレームにおける最後の記号の電力が、できるだけ低い電力レベルで送信される。更に、アンテナシステム及び校正ネットワークは、ループバックして、トレーニングシーケンスを含む最後の記号を、空気中に送信するのではなく、受信校正チェーンへ返送するように構成される。
【００９６】
ある実施形態では、アップリンク方向において、ＬＴＥアップリンク物理的チャンネル又は他の目的のためのサウンド基準信号（ＳＲＳ）に使用される最後の記号を使用して、校正トレーニングシーケンスを受け取ることができる。アップリンクｍａｃスケジューラは、最後の記号が校正専用であり且つユーザアップリンクトラフィックには使用しないことを保証する必要がある。
【００９７】
始動校正手順及びランタイム校正手順を使用することで、良好な校正性能を低いコストで達成することができる。時間ドメインにおけるランタイム校正手順は、粗いレベルで行われ、これは、フィールドプログラマブルゲートアレイの複雑さが低減され、ひいては、高周波モジュールのハードウェアコストが減少されることを意味する。ランタイム校正手順は、高周波モジュール内のみで実行されから、Ｉｒインターフェイスを変更する必要はない。更に、ランタイム校正手順の期間中にＩｒインターフェイスにおいて付加的なデータ又はコントロールメッセージが送信又は受信されることはない。これは、第三者の高周波モジュールをシステムモジュールと一体化することが容易であることを意味する。というのは、ランタイム校正手順には付加的な要求が課せられないからである。
【００９８】
ＬＴＥに関連して実施形態を説明したが、複数のコンポーネントキャリアを含むキャリアが使用される他の通信システムにも同様の原理を適用できることに注意されたい。又、ベースステーションにより与えられるキャリアではなく、コンポーネントキャリアを含むキャリアが、移動ユーザ装置のような通信装置により与えられてもよい。例えば、固定装置が設けられず、例えば、アドホックネットワークにおいて複数のユーザ装置により通信システムが形成されるような用途がある。それ故、ワイヤレスネットワークのための幾つかの規範的アーキテクチャー、テクノロジー及び規格を参照して幾つかの実施形態を一例として上述したが、それら実施形態は、ここに図示して説明した以外の他の適当な形態の通信システムにも適用することができる。
【００９９】
又、本発明の規範的な実施形態を以上に説明したが、本発明の範囲から逸脱せずに、ここに開示した解決策に対して多数の変更や修正がなされ得ることにも注意されたい。
【０１００】
一般的に、種々の実施形態は、ハードウェア又は特殊目的回路、ソフトウェア、ロジック、又はその組み合わせにおいて種々の実施形態を具現化することができる。本発明の幾つかの態様は、ハードウェアで具現化される一方、他の態様は、コントローラ、マイクロプロセッサ又は他のコンピューティング装置により実行されるファームウェア又はソフトウェアで具現化されるが、本発明は、それに限定されない。本発明の種々の態様は、ブロック図、フローチャートとして、又は他の絵画的表現を使用して図示して説明したが、これらのブロック、装置、システム、技術又はここに述べる方法は、非限定例として、ハードウェア、ソフトウェア、ファームウェア、特殊目的回路又はロジック、汎用ハードウェア又はコントローラ、或いは他のコンピューティング装置、又はその幾つかの組み合わせで具現化されてもよいことを理解されたい。
【０１０１】
本発明の実施形態は、プロセッサエンティティのような移動装置のデータプロセッサにより実行可能なコンピュータソフトウェア、又はハードウェア、或いはソフトウェア及びハードウェアの組み合わせによって具現化される。
【０１０２】
更に、この点に関して、図面における論理的フローのブロックは、プログラムステップ、又は相互接続された論理回路、ブロック及び機能、或いはそれらのプログラムステップ及び論理回路、ブロック及び機能の組み合わせを表わすことに注意されたい。ソフトウェアは、メモリチップのような物理的媒体、又はプロセッサ内に具現化されるメモリブロック、ハードディスク又はフロッピーディスクのような磁気媒体、及び例えば、ＤＶＤや、そのデータ変形体であるＣＤのような光学媒体に記憶される。
【０１０３】
メモリは、ローカル技術環境に適した形式のものであり、適当なデータ記憶技術、例えば、半導体ベースのメモリデバイス、磁気メモリデバイス及びシステム、光学メモリデバイス及びシステム、固定メモリ及び取り外し可能なメモリを使用して具現化される。データプロセッサは、ローカル技術環境に適した形式のものであり、非限定例として、汎用コンピュータ、特殊目的コンピュータ、マイクロプロセッサ、デジタル信号プロセッサ（ＤＳＰ）、特定用途向け集積回路（ＡＳＩＣ）、ゲートレベル回路、及びマルチコアプロセッサアーキテクチャーに基づくプロセッサ、の１つ以上を含む。
【０１０４】
本発明の実施形態は、集積回路モジュールのような種々のコンポーネントにおいて具現化される。集積回路の設計は、全般的に、高度に自動化されたプロセスである。論理レベル設計を、半導体基板上にエッチングし形成する準備のできた半導体回路設計へと変換するための複雑且つパワフルなソフトウェアツールが入手できる。
【０１０５】
以上の説明は、一例として述べたもので、本発明の規範的な実施形態の完全且つ有益な説明の非限定例である。しかしながら、当業者であれば、以上の説明を添付図面及び特許請求の範囲と一緒に読んだときに、種々の変更や適応が明らかとなろう。しかしながら、本発明の教示のそのような変更及び同様の変更は、全て、特許請求の範囲に規定された本発明の範囲内に包含されることが明らかであろう。実際に、１つ以上の実施形態と、上述したいずれかの他の実施形態との組み合わせより成る更に別の実施形態も考えられる。
【符号の説明】
【０１０６】
１０：アクセスシステム
１１：移動通信装置
１２：ベースステーション
１５：ゲートウェイ
１６：データネットワーク
１７：アクセスゲートウェイ
２０：システムモジュール
２１：高周波モジュール
２２：アンテナシステム
２３：高周波送信チェーン
２４、２８：プロセッサ
２５：記憶手段
２６、２７：送信／受信モジュール
２５、２９メモリ
３０、３１：検出モジュール
３２、３４：補償モジュール
【図１】
0005613829.tif 000002
【図２】
0005613829.tif 000003
【図３】
0005613829.tif 000004
【図４】
0005613829.tif 000005
【図５】
0005613829.tif 000006
【図７】
0005613829.tif 000007
【図６】
0005613829.tif 000008
【図８】
0005613829.tif 000009